(57)【特許請求の範囲】
【請求項１】
外殻を、断面形状が略Ｕ字形で、回転子の軸の軸心と平行に２分割されているアルミ製のスイッチハンドル部と、略円筒形をしたアルミ製のモータ部とで構成し、
固定子と、
回転子と
外周が樹脂製絶縁材で覆われた回転子の軸と、からなる電動工具において、
前記２分割された２個のアルミ製スイッチハンドル部の各々の内側に、断面形状が略Ｕ字形に形成されている２個の樹脂製絶縁体を装着し、前記固定子からスイッチと電源電線に接続されている絶縁材で被覆されたリード線、及びスイッチの充電部を前記２個の樹脂製絶縁体でサンドイッチ状に覆って被覆し、
かつ、前記アルミ製のモータ部と前記固定子の間に略円筒状の絶縁体を挿入したことを特徴とする、二重絶縁構造の電動工具
【発明の詳細な説明】
【０００１】
【産業上の利用分野】
本発明は電動工具の二重絶縁構造に関するものである。
【０００２】
【従来の技術】
電動工具の外殻であるフレームは固定子、回転子及びブラシ部などを収納しているモータ部とスイッチやリード線などを収納しているスイッチハンドル部とで構成されている。
【０００３】
図４は従来の二重絶縁構造の電動工具１０の外殻の構成の一例である。樹脂製絶縁材で一体に成形された外殻であるフレーム２ａはモータ部３とスイッチハンドル部４とからなり、モータ部３は略円筒形をしており、スイッチハンドル部４は半割りの構造になっている。
【０００４】
そして、このスイッチハンドル部４の開口部には、半割り構造のスイッチハンドルカバーが締着されている。また、回転子１１の一構成品である軸（シャフト）の外周も電気絶縁性のある樹脂で覆われた絶縁シャフト１２を使用している。このような構成にすることにより、充電部と外殻とは二重絶縁された構造の電動工具１０になる。
【０００５】
【発明が解決しようとする課題】
しかしながら、外殻が樹脂製絶縁材で構成された従来の二重絶縁構造の電動工具は、外殻がダイカストなどのアルミ材でできているシングル絶縁構造の電動工具に較べて、強度及び耐久性の点で劣るという問題があった。
【０００６】
本発明は、この様な事情を鑑みてなされたものであり、電動工具の外殻がシングル絶縁のものと同等の強度と耐久性が得られる二重絶縁構造の電動工具を提供することを課題としている。
【０００７】
【課題を解決するための手段】
本発明の電動工具は、外殻を断面形状が略Ｕ字形で、回転子の軸の軸心と平行に２分割されているアルミ製のスイッチハンドル部と、略円筒形をしたアルミ製の外殻であるモータ部とで構成し、固定子と、回転子と、外周が樹脂製絶縁材で覆われた回転子の軸と、からなる電動工具において、前記２分割された２個のアルミ製スイッチハンドル部の各々の内側に、断面形状が略Ｕ字形に形成されている２個の樹脂製絶縁体を装着し、前記固定子からスイッチと電源電線に接続されている絶縁材で被覆されたリード線、及びスイッチの充電部を前記２個の樹脂製絶縁体でサンドイッチ状に覆って被覆し、かつ、前記アルミ製のモータ部と前記固定子の間に略円筒状の絶縁体を挿入して構成するものである。この構成により二重絶縁構造になり感電する恐れがなく、また、強度と耐久性が得られ課題を解決している。
【０００８】
【作用】
アルミ製の外殻のモータ部と固定子との間に樹脂製絶縁材で成形された絶縁体を挿入し、そして、スイッチハンドル部と、この中に内装されたリード線及びスイッチの端子部との間に樹脂製絶縁材で成形された絶縁体を装着し、さらに、回転子の一構成品であるシャフトとして外周が樹脂製絶縁材で覆われた絶縁シャフトを使用することにより二重絶縁構造の電動工具になる。
【０００９】
この様な構成にすることにより、シングル絶縁部の絶縁が劣化や衝撃などで破壊された場合でも、外殻と充電部とが絶縁体により絶縁されているので感電が防止される。
【００１０】
【実施例】
本発明を図面に示された一実施例に基づいて説明すると、図１は本発明の一実施例による二重絶縁構造の電動工具の要部の断面図であり、図２は図１の固定子部の縦断面図であり、図３は図１のスイッチハンドル部の縦断面図である。
【００１１】
図１〜図３において、電動工具１の外殻であるフレーム２の材質はアルミ材を使用している。このフレーム２の固定子７を装着する箇所、すなわちモータ部３は略円筒形に形成されており、この略円筒形をしたフレーム２の内径部には、絶縁性のある樹脂で略円筒形に形成された絶縁体Ａ５が装着されている。さらに、この絶縁体Ａ５の内径部には固定子７が嵌入されている。このモータ部３のＡ−Ａ部の断面形状は図２に示す。
【００１２】
また、このフレーム２のスイッチハンドル部４の断面形状は略Ｕ字形に形成されている。そして、このフレーム２のスイッチハンドル部４の内部には、断面形状が略Ｕ字形に形成された樹脂製の絶縁体Ｂ６が装着されている。このスイッチハンドル部４のＢ−Ｂ部の断面形状は図３に示す。さらに、回転子１１の一構成品である軸（シャフト）は外周が樹脂製絶縁材で覆われた絶縁シャフト１２を使用している。
【００１３】
この様な構成において、アルミ製のフレーム２と固定子７との間に絶縁体Ａが挿入されていることにより、充電部である固定子７が外殻であるフレーム２と電気的に絶縁され、かつ、固定子鉄心と巻線との間が絶縁紙で絶縁されているので、この箇所は二重絶縁構造を構成している。
【００１４】
そして、フレーム２のスイッチハンドル部４と、この中に内装されたリード線８及びスイッチ９の端子部との間に絶縁体Ｂ６が装着されていることにより、充電部であるリード線８及びスイッチ９の端子部と外殻であるスイッチハンドル部４とが電気的に絶縁され、かつ、リード線８が絶縁材で被覆されているのでこの箇所も二重絶縁構造になっている。
【００１５】
さらに、回転子１１の一構成品である軸（シャフト）の外周が樹脂製絶縁材で覆われた絶縁シャフト１２を使用しているので、回転子１１の充電部とこのシャフト１２と噛合しているギア部及び外殻が電気的に絶縁され、さらに、この回転子鉄心と巻線とが絶縁紙で絶縁されているのでこの箇所も二重絶縁構造になっている。
【００１６】
この様に各充電部とフレーム２及び軸との間に絶縁体を入れることにより、外殻であるフレーム２にアルミ材などの導電体を使用しても、このフレーム２の内側で充電部と二重絶縁の構造になっているので、フレーム２が樹脂で形成された電動工具１０と同様に感電の恐れがなく安全で、かつ、シングル絶縁された電動工具と同等の強度と耐久性が得られる。
【００１７】
外殻形状の他の例として例えば、フレームをシャフトの軸に平行に二分割した形状の外殻を締着した構造のものも考えられる。この場合の固定子１１に嵌合する絶縁体の形状は略円筒形ではなく、略円筒形を二分割した形状に形成したものを使用することは申すまでもない。
【００１８】
なお、電動工具にはドリル、グラインダーなど種々の用途の工具があり、これらの工具の機能やデザインに応じて、フレームの形状が異なってくる。しかし、本発明は外殻をアルミフレームにしてフレームの強度を保持し、そして、このフレームと充電部との間に絶縁体を介在させることにより、二重絶縁構造にするのがこの発明の特徴であり、フレーム（外殻）及び絶縁体の形状は、実施例の形状にはこだわらない。
【００１９】
【発明の効果】
以上の通り、本願発明の電動工具はアルミフレームの内側と充電部との間に樹脂製絶縁材で形成された絶縁体を配設することにより安全で、かつ、シングル絶縁品の電動工具と同等の強度と耐久性が得られる。
【図面の簡単な説明】
【図１】本発明の一実施例による二重絶縁構造の電動工具の要部の断面図である。
【図２】図１の固定子部の縦断面図である。
【図３】図１のスイッチハンドル部の縦断面図である。
【図４】従来の二重絶縁構造の電動工具の断面図である。
【符号の説明】
１、１０・・電動工具
２、２ａ・・フレーム
３・・・・・モータ部
４・・・・・スイッチハンドル部
５・・・・・絶縁体Ａ
６・・・・・絶縁体Ｂ
７・・・・・固定子
８・・・・・リード線
９・・・・・スイッチ
１１・・・・回転子（アーマチュア）
１２・・・・絶縁シャフト
【図１】
0003871279.tif 000002
【図２】
0003871279.tif 000003
【図３】
0003871279.tif 000004
【図４】
0003871279.tif 000005